(57)【要約】【課題】  高齢者や身体障害者など食べ物を零すことなく口に入れることが出来る挟式スプーンの提供。【解決手段】  スプーンは受け部５と持ち手部９から成り、持ち手部９は基部３が繋がって両側へ広がって延びる持ち手片２ａ，２ｂを有し、持ち手片２ａ，２ｂの先端には受け部５を構成する受け片１ａ，１ｂを連続して形成し、上記両持ち手片２ａ，２ｂを摘んで外方向から押圧力を作用することで両受け片１ａ，１ｂが閉じて受け部５を形成するようにしている。【選択図】    図１
0003208256.tif 000002
【実用新案登録請求の範囲】
【請求項１】
高齢者や身体障害者などが使うスプーンにおいて、該スプーンは受け部を持ち手部から成り、持ち手部は基部が繋がって両側へ広がって延びる持ち手片を有し、持ち手片の先端には受け部を構成する受け片を連続して形成し、
上記両持ち手片を摘んで外方向から押圧力を作用することで両受け片が閉じて受け部を形成するようにしたことを特徴とする挟式スプーン。
【請求項２】
上記受け部の接合面に隙間が生じないように、一方の受け片接合面に凹溝を沿設すると共に、該凹溝に細長いシール材を嵌めた請求項１記載の挟式スプーン。
【請求項３】
上記持ち手片の基部高さは、両受け片が閉じた際に接合面が上下方向に位置ズレしない寸法Ｈとした請求項１、又は請求項２記載の挟式スプーン。
【考案の詳細な説明】
【技術分野】
【０００１】
本考案は高齢者や身体障害者等が食事をする際に使用するスプーンに関するものである。
【背景技術】
【０００２】
高齢者、特に身体障害者を介護する場合、食事をするに際して箸よりスプーンを使用することが多い。スプーンであれば御飯やその他の食べ物を載せて口に入れることが出来、比較的零れ落ち難いといった利点がある。また、スープ類であれば該スプーンですくって僅かづつ口に入れることが可能となる。勿論、スプーンを使用しても、重症の身体障害者ともなれば、口に食べ物を入れることは容易でない。
【０００３】
ところで、高齢者や軽症の障害者であれば、介護者に頼ることなく自らスプーンを手にして食べることは出来るが、手元が震えたりすると受け部に載せた食べ物は落下してしまうことが多い。その為に、基本的には介護者がそばに付き添って高齢者や身体障害者に食べさせている。
従来においても、高齢者や身体障害者を対象とした色々なスプーンが考案されている。  
【０００４】
特開２００６−１４１８７７号に係る「スプーン」は、高齢者あるいは幼児が食事をする際、食べ物をスプーンで掬って口に運ぶ場合に、口元でこぼしたり、落としたりするのを防止することが出来るようにしている。
このスプーンは、全体が掬い部となっている本体を、平面視が一直線状の柄の先端部に設けた多機能型のもので、掬い部の輪郭線が略楕円形であり、柄の中心線が掬い部の図心を通り、柄の中心線と掬い部の長手方向の中心線に対して垂直な直線とのなす角度が５°〜３０°の範囲内にあり、上記略楕円形を直線により２分割したときには、柄と反対の側は飲食側となっている。
【０００５】
特開２０１３−９４１７７号に係る「飲食用スプーン」は、高齢者、病人、幼児などのような口の力が弱い者であっても、すくい部上の飲食物を容易に口内へ取り込めるようにしている。
そこで、柄と裏面に少なくとも１つの溝が形成されたすくい部とを備え、少なくとも１つの溝は、すくい部が口内への挿入される方向に形成された溝を含んでおり、少なくとも１つの溝は、すくい部が口内への挿入される方向に垂直な方向に形成された溝を含んでいる。
【特許文献１】特開２００６−１４１８７７号に係る「スプーン」
【特許文献２】特開２０１３−９４１７７号に係る「飲食用スプーン」
【考案の開示】
【考案が解決しようとする課題】
【０００６】
このように高齢者や身体障害者用のスプーンは色々知られている。受け部（掬い部）に載せた食べ物が零れ落ちないようにするといった目的は共通するが、本考案は受け部と持ち手部から成って、食べ物を挟むことが出来るように箸としての機能を備えた挟式スプーンを提供する。
【課題を解決するための手段】
【０００７】
本考案に係る挟式スプーンは箸としての機能を併せ持つスプーンであり、持ち手部と受け部（掬い部）を有し、上記持ち手部は左右の両持ち手片が対を成して構成し、受け部も左右の両受け片が対を成して構成している。
そこで、一方の持ち手片の先端に一方の受け片が連続して形成され、他方の持ち手片の先端に他方の受け片が連続して形成されている。
【０００８】
上記両持ち手片はその基部が繋がり、バネ力（弾性力）の作用で両受け片は常時広がっている。そこで、両持ち手片に外方向から内側へ力が働くならば、開いた両受け片は互いに密着して閉じ、従来のスプーンに備わっている受け部が形成される。受け部を構成する両受け片の接合面が隙間なく密着するようにシール材を設けることもある。
ところで、本考案の挟式スプーンを構成する材質は金属製であっても、樹脂製であっても構わない。
【考案の効果】
【０００９】
本考案の挟式スプーンは互いに対を成す持ち手片の基部が繋がっていて、両持ち手片の先端にそれぞれ受け片を形成し、両受け片は常時開いた状態となっている。したがって、食べ物を両受け片にて挟んで口に入れることが出来る。すなわち、スプーンが箸として機能する為に、従来のスプーン受け部に載せて口に入れる場合に比較して、食べ物が零れ落ちる頻度は減少し、介護者の手を煩わせることなく独りで食事をすることも可能となる。
そして、両持ち手片を摘むことで受け片を閉じるならば、通常のスプーン受け部として機能する為に食べ物を載せて口に入れることが出来、またスープなどを掬うことが可能となる。すなわち、食べ物に応じて挟式スプーンを使い分けて使用することが可能である。
【図面の簡単な説明】
【００１０】
【図１】両受け片が開いた状態を示す本考案の挟式スプーンの実施例で、（ａ）は平面図、（ｂ）は正面図。
【図２】両受け片が閉じた状態を示す本考案の挟式スプーンを示す実施例で、（ａ）は平面図、（ｂ）は（ａ）のＡ−Ａ断面図。
【図３】受け部の接合面にシール材を嵌めた場合の断面図。
【考案を実施するための形態】
【００１１】
図１は本考案に係る挟式スプーンを示す実施例であり、（ａ）は平面図、（ｂ）は正面図をそれぞれ表している。同図において、１ａ，１ｂは受け片、２ａ，２ｂは持ち手片を表し、受け片１ａは持ち手片２ａの先端に連続して形成され、受け片１ｂは持ち手片２ｂの先端に連続して形成している。そして、両持ち手片２ａ，２ｂは基部３にて繋がっていて、持ち手部９を構成している。
【００１２】
該基部３から両持ち手片２ａ，２ｂは両側へ広がり、同じく持ち手片２ａ，２ｂの先端に連続して形成している受け片１ａ，１ｂも外側へ広がっている。したがって、全体はハサミのような形状をしている。
ここで、該挟式スプーンは金属板を材料として成形することが出来、又は樹脂を材料として射出成形することも可能であり、上記基部３は弾性曲げ変形することが出来るように構成している。
【００１３】
ところで、挟式スプーンは通常図１に示すように両受け片１ａ，１ｂが開いた状態にあり、そこで持ち手片２ａ，２ｂを摘んで側面４ａ，４ｂを押圧するならば基部３が湾曲変形して両受け片１ａ，１ｂは閉じることが出来る。上記持ち手片２ａ，２ｂは板状をなして側面４ａ，４ｂの面積は比較的大きくて挟み易く成っている。
【００１４】
また、基部３の高さ寸法Ｈはある程度大きく成っていて、閉じた両受け片１ａ，１ｂの接合面が位置ズレしないように接合することが出来る。すなわち、両持ち手片２ａ，２ｂが同一面からズレて上下方向に撓まないように基部３の捩れ変形を防止している。
図２は両受け片１ａ，１ｂが閉じた場合で、受け部５が形成される。該受け部５は図２（ｂ）に示すように滑らかに湾曲した形状となり、上側には凹部６が形成される。
【００１５】
両受け片１ａ，１ｂが閉じて形成される受け部５は従来の一般的なスプーン受け部となり、食べ物を載せて口に入れることが出来る。また、スープなどを掬って飲むことも可能である。
一方、図１のように開いた両受け片１ａ，１ｂにて食べ物を挟んで口に入れることが出来、持ち手片２ａ，２ｂの側面４ａ，４ｂに及ぼす押圧力を弛めるならば、基部３に作用する弾性復元力（バネ力）にて両受け片１ａ，１ｂは図１のように開くことになる。すなわち、本考案の挟式スプーンは食べ物によって使い分け使用できる。
【００１６】
図３は受け部５の断面拡大図を示す他の実施例である。該受け部５は両受け片１ａ，１ｂを閉じた際に両接合面が隙間なく密着するように構成し、凹部６に入れたスープなどの液状飲み物が漏れない構造としている。
すなわち、金属板曲げ成形しただけの受け片１ａ，１ｂでは、閉じた場合に僅かな隙間を生じてしまうことから、一方の受け片１ａの接合面には凹溝７を沿設し、この凹溝７に細長いシール材８を嵌めている。シール材８は凹溝７から僅かに突出していて、他方の受け片１ｂが接合することで隙間なく密着する。
【符号の説明】
【００１７】
１   受け片
２   持ち手片
３   基部
４   側面
５   受け部
６   凹部
７   凹溝
８   シール材
９   持ち手部
【図１】
0003208256.tif 000003
【図２】
0003208256.tif 000004
【図３】
0003208256.tif 000005